(57)【特許請求の範囲】
【請求項１】
躯体に方立を取り付けたならば、これら方立間に無目を取り付けて開口枠を形成した後、カーテンウォールパネルを取り付ける手順によって壁面を構築するノックダウン式カーテンウォールにおいて、
前記方立と無目とによって形成された窓部開口枠に対して、ビルの躯体開口部に設置される窓サッシをそのまま窓枠ごと嵌め込み、前記方立及び無目に対して固定するとともに、前記窓サッシの縦窓枠は、前記方立の側面と前記サッシ縦窓枠の室内面とに跨る縦窓枠用ブラケットにより支持されていることを特徴とするカーテンウォール。
【請求項２】
前記縦窓枠用ブラケットは、方立の室外側隅部に係合する突片を備えている請求項１記載のカーテンウォール。
【請求項３】
前記方立の室外がわ側面に凹部を設け、該凹部に前記縦窓枠用ブラケットの方立側フランジを嵌め込むようにしてある請求項１、２いずれかに記載のカーテンウォール。
【請求項４】
窓部の上下枠を構成する無目は、前記窓サッシの上下窓枠の断面形状及び／又は取付けのための固定用支持片に対応して、開口面側に前記固定用支持片を固定するための係合支持部を備えている請求項１〜３いずれかに記載のカーテンウォール。
【請求項５】
前記係合支持部は、開口面側の室内側および室外側にそれぞれ形成され、前記室内側係合支持部は前記窓サッシの上下窓枠の室内面側に当接するサッシ枠当接受け部であり、前記室外側係合支持部は前記窓サッシの上下窓枠に形成された固定用支持片を固定するための固定支持部である請求項４記載のカーテンウォール。
【請求項６】
前記サッシ枠当接受け部及び／又は固定支持部において、ビス止めによって前記窓サッシの上下窓枠が固定されている請求項５記載のカーテンウォール。
【請求項７】
前記サッシ枠当接受け部は、前記窓サッシの上下枠の室内面と衝合する上下に２つの当接片が室外側に向けて突出し、これら当接片によって形成された凹溝部分に気水密材が嵌設されている請求項５、６いずれかに記載のカーテンウォール。
【発明の詳細な説明】
【０００１】
【発明の属する技術分野】
本発明は、窓部開口枠にビル等で使用される一般サッシを取付け可能としたノックダウン式カーテンウォールに関する。
【０００２】
【従来の技術】
従来より、カーテンウォール工法によって建物の外壁を構築する場合、施工場所において躯体に方立を取り付けたならば、これら方立間に無目を取り付けて開口枠を形成し、各開口枠にカーテンウォールパネルを取り付ける手順による、所謂ノックダウン式カーテンウォール工法が存在する。
【０００３】
かかるノックダウン式カーテンウォールにおいて、従来、開閉窓部を設ける場合には、前記開口枠に対して窓型式毎に用意された専用の開閉部用枠材（以下、開閉部専用枠という。）を取付け、この開閉部専用枠に対して特注された又は既存の開閉障子を据え付けるようにしている。
【０００４】
【発明が解決しようとする課題】
しかしながら、前述のように、カーテンウォールの窓部に対して開閉部専用枠を取付け、開閉障子を据え付ける場合には、生産量等の要因により多くの窓バリエーションを保有することが困難である。実際に、回転窓、開き窓、突出し窓、倒し窓等、必要最小限の複数の窓型式しか用意されることが無かった。
【０００５】
また、生産および施工時の工程管理においても、カーテンウォールに合わせて開閉部専用枠を製造するため、生産に工数が掛かりコストが割高になるとともに、カーテンウォール工事の工程に合わせた生産管理が必要になるなど工程管理が煩雑化する要因となっていた。
【０００６】
さらに、カーテンウォール窓部の製造は、特殊な加工治具を必要とするとともに、断面も大型化する傾向にある。従って、特定の生産能力のある工場でしか製造を行うことが出来ず、生産効率が向上しない要因ともなっていた。
【０００７】
そこで本発明の主たる課題は、ノックダウン式カーテンウォールにおいて、窓部に取り付けられる開閉部専用枠を無くすとともに、窓部形式に豊富なバリエーションを保有できるようにすることにある。また、窓部構成部材の生産管理を実質的に不要としながらカーテンウォール工事の工程管理が行えるようにすることにある。更には、カーテンウォールの一般部（ＦＩＸ部）と窓部とを分離生産可能とし、特定設備を有しない生産工場でも容易に製造できるようにすることにある。
【０００８】
【課題を解決するための手段】
前記課題を解決するために請求項１に係る本発明として、躯体に方立を取り付けたならば、これら方立間に無目を取り付けて開口枠を形成した後、カーテンウォールパネルを取り付ける手順によって壁面を構築するノックダウン式カーテンウォールにおいて、
前記方立と無目とによって形成された窓部開口枠に対して、ビルの躯体開口部に設置される窓サッシをそのまま窓枠ごと嵌め込み、前記方立及び無目に対して固定するとともに、前記窓サッシの縦窓枠は、前記方立の側面と前記サッシ縦窓枠の室内面とに跨る縦窓枠用ブラケットにより支持されていることを特徴とするカーテンウォールが提供される。
【０００９】
上記請求項１記載の発明においては、カーテンウォール窓部開口枠に対して、ビルの躯体開口部に設置される窓サッシをそのまま窓枠ごと嵌め込み固定するものである。従って、従来窓に必要とされていた開閉部専用枠を無くすことが可能になるとともに、一般ビル用などに用意されている窓サッシをそのまま使用するため、窓部形式に豊富なバリエーションを持つことが可能となる。また、カーテンウォールの施工に際しても、窓部は部品、部材が在庫されていて生産が容易な一般サッシを使用するため、窓部の施工に左右されずに生産および工程管理ができるようになる。更に、窓部の無目や方立部についても、特殊な加工を必要としないため、カーテンウォールの一般部（ＦＩＸ部）と窓部とを分離生産できるようになり、特定設備を有しない生産工場でも容易に製造できるようになる。
【００１０】
請求項２記載の本発明として、前記縦窓枠用ブラケットは、方立の室外側隅部に係合する突片を備えている請求項１記載のカーテンウォールが提供される。
【００１１】
請求項３記載の本発明として、前記方立の室外がわ側面に凹部を設け、該凹部に前記縦窓枠用ブラケットの方立側フランジを嵌め込むようにしてある請求項１、２いずれかに記載のカーテンウォールが提供される。
【００１２】
請求項４に係る本発明として、窓部の上下枠を構成する無目は、前記窓サッシの上下窓枠の断面形状及び／又は取付けのための固定用支持片に対応して、開口面側に前記固定用支持片を固定するための係合支持部を備えている請求項１〜３いずれかに記載のカーテンウォールが提供される。
【００１３】
請求項５に係る本発明として、前記係合支持部は、開口面側の室内側および室外側にそれぞれ形成され、前記室内側係合支持部は前記窓サッシの上下窓枠の室内面側に当接するサッシ枠当接受け部であり、前記室外側係合支持部は前記窓サッシの上下窓枠に形成された固定用支持片を固定するための固定支持部である請求項４記載のカーテンウォールが提供される。
【００１４】
上記請求項５記載の本発明では、窓サッシの取付けに当たり、窓部の上下枠を構成する無目に、前記サッシ枠当接受け部と、固定支持部とを夫々設けておき、これに窓サッシの上下窓枠を固定するようにする。前記サッシ枠当接受け部は、１条または複数条とすることができ、また必要に応じて当接部の形状は任意に変えることができる。
【００１５】
請求項６に係る本発明として、前記サッシ枠当接受け部及び／又は固定支持部において、ビス止めによって前記窓サッシの上下窓枠が固定されている請求項５記載のカーテンウォールが提供される。
【００１６】
【発明の実施の形態】
以下、本発明の実施の形態について図面を参照しながら詳述する。
【００１７】
図１は本発明に係るカーテンウォールの正面図、図２は図１のII−II線矢視図（ＦＩＸ部縦断面）、図３は図１のIII−III線矢視図（ＦＩＸ部横断面）、図４は図１のIV−IV線矢視図（窓部縦断面）、図５は一般サッシ４の設置要領図、図６は図１のVI−VI線矢視図（窓部横断面）である。
【００１８】
本カーテンウォール１は、建物躯体（床）の端部に固定された方立支持金具によって、水平方向に所定の間隔をおいて上下方向に沿って方立２，２…を固定した後、この方立２，２間に上下方向に所定間隔で無目３，３…を架け渡して開口枠を形成し、ＦＩＸ部においては各開口枠に対してガラス等のパネルを嵌合設置し、窓部においては一般サッシ４を窓枠ごと開口枠に嵌め込み、前記方立２及び無目３に対して固定した構造となっている。
【００１９】
以下、ＦＩＸ部カーテンウォール構造と窓部カーテンウォール構造とに分けて詳述する。
【００２０】
〔ＦＩＸ部カーテンウォール構造〕
ＦＩＸ部カーテンウォール構造を図２および図３に基づいて詳述する。
【００２１】
前記方立２は、詳細には図３に示されるように、相対的に室内側に位置する中空部方形断面の方立本体２Ａと、この方立本体２Ａの室外面中央位置から室外側に延在する縦枠部２Ｂと、この縦枠部２Ｂの先端部に逆Ｔ字状に形成された見付けフランジ部２Ｃとからなる形材である。
【００２２】
前記方立本体２Ａの室外がわ側面部分に凹部２ａが形成されるとともに、図示の例では前記縦枠部２Ｂの中間に断面Ｌ字状の係止部２ｂが形成され、これら凹部２ａ、掛止部２ｂ間に跨って縦押縁５が取り付けられ、この縦押縁５と前記見付けフランジ２Ｃとによりガラス側縁嵌合溝ＭＶが形成され、ガラスＧがガラス面を跨いでガラス側縁嵌合溝ＭＶの室外側および室内側に夫々施工されたシール２０、２０によって支持されている。なお、前記縦押縁５の係止部は前記縦枠部２Ｂ以外に断面形状に応じて適宜決定される。
【００２３】
一方、無目３は図２に示されるように、方立２の縦枠部２Ｂに固定された無目ブラケット８によって方立２、２間に支持されるようになっている。無目３は、中空状の無目本体３Ａと、この無目本体３Ａの室外側面から室外側に延在するとともに、先端部で上側に屈曲する室外側延在部３Ｂとからなり、前記室外側延在部３Ｂによりガラス下縁側嵌合溝ＭＤが形成されている。
【００２４】
また、前記室外側延在部３Ｂの下面側に横押縁７が取り付けられ、ガラス上縁側嵌合溝ＭＵが形成されるようになっている。ガラスＧは、側縁部と同様に、ガラス面を跨いでガラス上下縁嵌合溝ＭＤ、ＭＵの室外側および室内側に夫々配設されたシール２０又はビード２１によって支持されている。また、方立２の室外側面と、縦押縁５の室内面側との間には、図示例のように、気密・水密性能を向上させるため、縦方向に沿ってスポンジ、定形シール材等の気水密材２２を配設することができる。
【００２５】
〔窓部カーテンウォール構造〕
次いで、窓部カーテンウォール構造を図４〜図６に基づいて詳述する。
【００２６】
前記方立２は高さ方向に長手通しで配設されるため、窓部においてもＦＩＸ部と断面形状は同じであるが、無目については窓部専用の無目９、１０が使用される。そして、前記方立２と窓用無目９，１０によって構成される窓部開口枠に対して、一般サッシ４を窓枠ごと嵌め込み、前記方立２，２及び窓用無目９，１０に対して固定される。
【００２７】
窓部の上枠を構成する窓用無目９は、中空の無目本体９Ａの室外側面より外方に延在するＬ字状部分９ａによってガラス下縁側嵌合溝ＭＤが形成されるとともに、開口面側には室内側および室外側にそれぞれ開口側に突出する係止片９ｂ、９ｃが形成されている。前記室内側係止片９ｃは一般サッシ４の上下窓枠の室内面側に当接するサッシ枠当接受け部１２を構成し、前記室外側係止片９ｂは開口側に突出する垂下片状に形成され、一般サッシ４の上下窓枠を固定するためのビス止め固定部１３（本発明の固定支持部）を構成するようになっている。
【００２８】
前記サッシ枠当接受け部１２は、一般サッシ４の上下窓枠の室内面と衝合する上下に２つの当接片９ｄ、９ｅが室外側に向けて突出している。図示のように、２つの当接片９ｄ、９ｅが室外側に向けて突出している場合には、これら当接片９ｄ、９ｅによる凹溝部分には、図示例のように、必要に応じて定形シール材等の気水密材２３を嵌設することができ、一般サッシ４の上下窓枠との間に高い気水密性を確保できるようになる。
【００２９】
一方、窓部の下枠を構成する窓用無目１０は、中空の無目本体１０Ａの室外側面より外方に延在する水平突片１０ａが形成されるとともに、この水平突片１０ａの下側に横押縁１１が取り付けられ、ガラス上縁側嵌合溝ＭＵが形成されている。この窓用無目１０の開口面側にも同様に、室内側および室外側にそれぞれ開口側に突出する係止片１０ｂ、１０ｃが形成され、前記室内側係止片１０ｃは一般サッシ４の上下窓枠の室内面側に当接するサッシ枠当接受け部１４を構成し、前記室外側係止片１０ｂは開口側に突出する起立片状に形成され一般サッシ４の上下窓枠を固定するためのビス止め固定部１５（本発明の固定支持部）を構成するようになっている。前記サッシ枠当接受け部１４は、窓用無目９と同様に、一般サッシ４の上下枠の室内面と衝合する上下に２つの当接片１０ｄ、１０ｅが室外側に向けて突出し、これら当接片１０ｄ、１０ｅによって形成された凹溝部分に定形シール材等の気水密材２３が嵌設されている。
【００３０】
前記窓用無目９のサッシ枠当接受け部１２と、前記窓用無目１０のサッシ枠当接受け部１４、および窓用無目９のビス止め固定部１３と、窓用無目１０のビス止め固定部１５とはそれぞれ、図示される一般サッシ４が取付けできるように同一垂直面内に形成されている。
【００３１】
一方、前記一般サッシ４は、本カーテンウォールのために特別に製作されたものではなく、一般的なビル等の躯体開口部（窓部）に設置されている窓サッシである。同図に示される例では、前記一般サッシ４として、袖ＦＩＸ窓部を一体的に備える開き窓サッシが使用されている。前記一般サッシ４は、上窓枠４０、下窓枠４１、縦窓枠４２，４３からなる枠内部に中間縦枠４４を設けて左右２つの開口部に仕切り、一方側の大開口部に開き障子４５を設置し、他方側の小開口部にガラスＧを嵌め込んだ窓である。
【００３２】
図４に示されるように、前記上窓枠４０の上部側には上方向に突出するビス止め起立片４０ａが形成されているとともに、前記下枠４１の下部側には下方向に突出するビス止め垂下片４１ａが形成されている。前記ビス止め起立片４０ａおよびビス止め垂下片４１ａはそれぞれ、本発明における「固定用支持片」を構成するものである。
【００３３】
カーテンウォール開口部に対する据付け状態では、図５に示されるように、一般サッシ４の上窓枠４０側では、ビス止め起立片４０ａが窓用無目９のビス止め固定部１３の室外側面に重なり、この重なり部に室外側からビス３０を螺入し固定を図るとともに、上窓枠４０の室内面側に窓用無目９のサッシ枠当接受け部１２が当接するようになっている。一方、一般サッシ４の下窓枠４１側でも同様に、ビス止め垂下片４１ａが窓用無目１０のビス止め固定部１５の室外側面に重なり、この重なり部に室外側からビス３０を螺入し固定を図るとともに、下窓枠４１の室内面側に窓用無目１０のサッシ枠当接受け部１４が当接するようになっている。前記ビス止め部の凹部にはバックアップ材３１が充填され、シール材３２が施工されている。
【００３４】
一方、前記一般サッシ４の縦窓枠４２，４３は、図６および図７に示されるように、方立２の側面と前記サッシ縦枠４２，４３の室内面とに跨る縦窓枠用ブラケット２４により支持されている。前記縦窓枠用ブラケット２４は断面略Ｌ字状を成す部材で、極力室内側への突出量を少なくするため、方立２の室外がわ側面部分に形成された凹部２ａに対し方立側フランジ２４ａを嵌め込むようにしながら設置し、この方立側フランジ２４ａと方立２とを貫くビス２５を螺入し固定するとともに、縦窓枠用ブラケット２４の無目側フランジ２４ｂを縦枠４２の室内面側に当接させ、ビス２６を螺入することにより固定している。また、前記縦窓枠用ブラケット２４は、方立２の室外側隅部に係合する突片２４ｃを備えており、前記縦窓枠用ブラケット２４が所定の位置に精度良く位置決めされるようになっている。また、方立２の室外側面と、縦窓枠用ブラケット２４の突片２４ｃとの間には、図示例のように、気密・水密性能を向上させるため、縦方向に沿ってスポンジ、定形シール材等の気水密材２２が配設されている。
【００３５】
一般サッシ４の取付けが完了したならば、前記縦枠固定部はカバー２７により覆い隠され、かつ方立２の見付けフランジ２Ｃと縦窓枠４２、４３との間にはバックアップ材２８が充填されるとともに、シール２９が充填される。
【００３６】
ところで、カーテンウォール１の窓部開口枠に設置される一般サッシ４は、一般的なビル等の躯体開口部（窓部）に設置される窓サッシをそのまま使用するため、窓型式については豊富なバリエーションを持つことが可能となる。具体的には、回転窓、開き窓、突出し窓、倒し窓等の他、横辷り出し窓、縦辷り出し窓、両開き窓、ガラリ窓、引き違い窓等であっても窓サッシとして商品が用意されている限り設置することができるようになる。図８及び図９は、上段側にＦＩＸ部４６、下段側に辷り出し窓４７を備える段窓型一般サッシ４Ａの例であるが、同符号を付して説明は省略するが、前述した一般サッシ４と全く同様に取付けることができる。更に、同じ考え方によりドア部であっても、カーテンウォールに組み込むことが容易となる。
【００３７】
次に、窓枠タイプの異なる一般サッシ４Ｂの例について、図１０〜図１２に基づいて詳述する。なお、断面形状が異なっても同機能の部材には同符号を付している。
【００３８】
同図に示される一般サッシ４Ｂは、上窓枠４０、下窓枠４１、縦窓枠４２，４３からなる枠内部に辷り開き障子４５を設置した窓である。かかる一般サッシ４Ｂでは、前記上窓枠４０の室外側に形成された逆Ｌ字状部４０ｂが本発明における「固定用支持片」を構成しているとともに、前記下枠４１の下部側に形成された下方向に突出する垂下片４１ａが本発明における「固定用支持片」を構成している。
【００３９】
一方、窓部の上枠を構成する窓用無目９は、中空の無目本体９Ａの開口面側には室内側および室外側にそれぞれ開口側に突出する係止片９ｆ、９ｃが形成されている。前記室内側係止片９ｃは一般サッシ４の上下窓枠の室内面側に当接するサッシ枠当接受け部１２を構成し、前記室外側係止片９ｆは鉤状に形成され、一般サッシ４Ｂの上窓枠を固定するための係止固定部１３’（本発明の固定支持部）を構成するようになっている。
【００４０】
他方、窓部の下枠を構成する窓用無目１０は、中空の無目本体１０Ａの開口面側には室内側および室外側にそれぞれ開口側に突出する係止片１０ｆ、１０ｃが形成され、前記室内側係止片１０ｃは一般サッシ４の上下窓枠の室内面側に当接するサッシ枠当接受け部１４を構成し、前記室外側係止片１０ｆは開口側に突出する起立片状に形成され、窓用無目１０の室外側面に固定された横押縁１１の起立片１１ａとで間隙が形成され係止固定部１５’（本発明の固定支持部）を構成するようになっている。
【００４１】
カーテンウォール開口部に一般サッシ４Ｂを据付けた状態では、図１１に示されるように、一般サッシ４Ｂの上窓枠４０側では、逆Ｌ字状部４０ｂが窓用無目９の室外側係止片９ｆに係止されるとともに、上窓枠４０の室内面側に窓用無目９のサッシ枠当接受け部１２が当接しビス４７により固定されている。一方、一般サッシ４Ｂの下窓枠４１側では、垂下片４１ａが窓用無目１０の係止固定部１５に形成された間隙部に挿入され、室外側からビス３０を螺入し固定されるとともに、下窓枠４１の室内面側に窓用無目１０のサッシ枠当接受け部１４が当接しビス４７によって固定されている。前記ビス止め部の凹部にはバックアップ材３１が充填され、シール材３２が施工されている。なお、同図から分かるように、本形態例では、窓用無目９の係止固定部１３’と、窓用無目１０の係止固定部１５’とは同一垂直面内に位置せず、前記係止固定部１３’が相対的に室外側に位置している。前記係止固定部１３’にはジョイントシール４８が施工され気水密性が確保されている。
【００４２】
他方、前記一般サッシ４Ｂの縦窓枠４２，４３は、図１２に示されるように、方立２の側面と前記サッシ縦枠４２，４３の室内面とに跨る縦窓枠用ブラケット２４が配設され、方立側フランジ２４ａと方立２とを貫くビス２５を螺入し固定されているとともに、縦窓枠用ブラケット２４の無目側フランジ２４ｂを縦枠４２の室内面側に当接させ、ビス２６を螺入することにより固定されている。
【００４３】
【発明の効果】
以上詳説のとおり本発明によれば、ノックダウン式カーテンウォールにおいて、窓部に取り付けられる開閉部専用枠を省略できるとともに、窓部形式に豊富なバリエーションを持つことが可能となる。また、窓部構成部材の生産管理を実質的に不要とし、カーテンウォール工事の工程管理が行えるようになるとともに、カーテンウォールの一般部（ＦＩＸ部）と窓部とを分離生産することが可能となり、特定設備を有しない生産工場でも容易に製造できるようになる。
【図面の簡単な説明】
【図１】  本発明に係るカーテンウォールの正面図である。
【図２】  図１のII−II線矢視図（ＦＩＸ部縦断面）である。
【図３】  図１のIII−III線矢視図（ＦＩＸ部横断面）である。
【図４】  図１のIV−IV線矢視図（窓部縦断面）である。
【図５】  一般サッシ４の設置要領図である。
【図６】  図１のVI−VI線矢視図（窓部横断面）である。
【図７】  その要部拡大詳細図である。
【図８】  他形式の一般サッシ組込み状態を示す縦断面図である。
【図９】  その横断面図である。
【図１０】  第２形態例に係る一般サッシ４Ｂの設置要領図である。
【図１１】  一般サッシ４Ｂの据付状態縦断面図である。
【図１２】  その横断面図である。
【符号の説明】
１…カーテンウォール、２…方立、２ａ…凹部、３…無目、４…一般サッシ、５…縦押縁、７・１１…横押縁、８…無目ブラケット、９・１０…窓部無目、１２・１４…サッシ枠当接受け部、１３・１５…ビス止め固定部、２４…縦窓枠用ブラケット、２４ｃ…突片、４０…上窓枠、４１…下窓枠、４２・４３…縦窓枠、４４…中間縦枠、４５…開き障子
【図１】
0003926192.tif 000002
【図２】
0003926192.tif 000003
【図３】
0003926192.tif 000004
【図４】
0003926192.tif 000005
【図５】
0003926192.tif 000006
【図６】
0003926192.tif 000007
【図７】
0003926192.tif 000008
【図８】
0003926192.tif 000009
【図９】
0003926192.tif 000010
【図１０】
0003926192.tif 000011
【図１１】
0003926192.tif 000012
【図１２】
0003926192.tif 000013